(57)【要約】【要約書】【課題】  最小限の小物類の携帯とチェックを常に容易にし、而も携帯していることが分からないよう隠しポケットとし見た目にはすっきりとして感じが良い衣服の提供である。【解決手段】  右前身頃３と左前身頃４と後身頃５と袖６と衿７と裏地８とを縫着にて一体とした衣服本体に於いて、差込部を並設置したペン差しポケット９を右前身頃３胸部表面の略上方中央に、着脱可能とした上蓋１０ａ付の携帯ポケット１０をペン差しポケット９下方の右前身頃３胸部表面に、一側端にファスナー１１ａを設けたトラベルポケット１１をファスナー１１ａを中央縦側にし左前身頃３胸部表面の略上方中央に、長手方向の中央に切込１２ａを設けたティッシュ用ポケット１２をトラベルポケット１１下方の左前身頃４胸部表面にそれぞれ縫着にて設け、右前身頃３及び左前身頃４より丈を短く幅を狭くした前カバー１３を右前身頃３及び左前身頃４を覆い且つ中央を開け肩・袖・脇下更に中央を除く胸下の右前身頃３及び左前身頃４に縫着し、中央側の未縫着部にファスナー１４を設けるようにしたものである。【選択図】        図１
0003103855.tif 000002
【実用新案登録請求の範囲】
【請求項１】
右前身頃と左前身頃と後身頃と袖と衿と裏地とを縫着にて一体とした衣服本体に於いて、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着にて設け、右前身頃及び左前身頃より丈を短く幅を狭くした前カバーを右前身頃及び左前身頃を覆い且つ中央を開け肩・袖・脇下更に中央を除く胸下の右前身頃及び左前身頃に縫着にて設けるようにしたことを特徴とする衣服。
【請求項２】
前カバー中央側の未縫着部にファスナーを設けた請求項１記載の衣服。
【考案の詳細な説明】
【技術分野】
【０００１】  本考案は仕事或は日常生活の外出時に必要な小物類を収納して携帯出来るようにした衣服に関するものである。
【背景技術】
【０００２】  科学の発達に伴って仕事或は日常生活が多様化してきているため、それぞれの目的に対応するために用いられる小物類（例えば筆記用具・ティッシュ・携帯電話・免許証等）も多くなり、特に外出時にはポケットの一部に或はカバンやケースなどに入れて持ち歩き目的に応じて用いるようになつてきている。
【考案が解決しようとする課題】
【０００３】  このように外出時にポケットの一部に或はカバンやケースなどに入れて持ち歩き目的に応じて用いるようにしているが、仕事以外の日常生活では使用したい時にポケット或はカバンやケースに入って無くてもそれで済ませることが出来るが、仕事の時には最小限のものは常に用いることが出来るようにしていないと困ることが多々有り、ポケット或はカバンやケースに入れ忘れたり又入れた心算で入れてなかったりしてしまいがちになる等小物類の持ち歩く上に於いて非常に不都合を感じていた。
【課題を解決するための手段】
【０００４】  本考案はこのような不都合を解消し、隠しポケットとなるよう覆い常にチェックを容易にし最小限の小物類の携帯を可能とし、見た目にはすっきりとして感じが良い衣服を提供せんとするものである。
右前身頃と左前身頃と後身頃と袖と衿と裏地とを縫着にて一体とした衣服本体に於いて、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着にて設け、右前身頃及び左前身頃より丈を短く幅を狭くした前カバーを右前身頃及び左前身頃を覆い且つ中央を開け肩・袖・脇下更に中央を除く胸下の右前身頃及び左前身頃に縫着し、中央側の未縫着部にファスナーを設けるようにしたものである。
【０００５】  使用に当っては、従来の衣服と同じように着用すれば良い。
着用してファスナーを開け右前身頃及び左前身頃の覆を一部解除し、必需品としてのペン類はペン差しポケットに入れ、携帯電話は携帯ポケットに入れ上蓋で蓋し、お金や免許証などはトラベルポケットに入れファスナーを閉め、テイッシュペーパーはテイッシュ用ポケットに切込を開けて入れる。
このように必需品を各ポケットに入れ終ると、再度ファスナーを閉めて外出するが、前カバーにて胸部に設けた各ポケットが隠され胸に何かを入れているのかが全く分からないと共に、見た目には前カバーによってすっきりとし感じよく着用することが出来る。
そして必需品を使用する時や使用が終って必需品を各ポケットから取り出す時には前述の手順の逆の要領で行なえば良い。
【考案の効果】
【０００６】  上述の如く本考案の請求項１に於いては、普通の衣服として着用出来ると共に、お金や免許証などの大切な物からテイッシュや筆記具や携帯電話などの日常の必需品を落とすことなく安全に携帯することが出来ると共に、必需品を入れた各ポケットが前カバーにて隠され胸に何を入れているのかが全く分からず、見た目には前カバーによってすっきりとし感じよく着用することが出来る。
請求項２に於いては、必需品の携帯をより安全確実にする。
このように多くの特長が有り実用上非常に優れた考案である。
【考案を実施するための最良の形態】
【０００７】  右前身頃と左前身頃と後身頃と袖と衿と裏地とを縫着にて一体とした衣服本体に於いて、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着にて設け、右前身頃及び左前身頃より丈を短く幅を狭くした前カバーを右前身頃及び左前身頃を覆い且つ中央を開け肩・袖・脇下更に中央を除く胸下の右前身頃及び左前身頃に縫着し、中央側の未縫着部にファスナーを設けるようにしたものである。
【実施例】
【０００８】  以下本考案の一実施例を図面について説明する。
図中１は衣服全体を示し、２は衣服本体であって、右前身頃３と左前身頃４と後身頃５を肩と脇下にて縫着し袖６を両脇に設け、衿７を右前身頃２と左前身頃４と後身頃５の上部に設けると共に、裏地８を右前身頃３と左前身頃４と後身頃５と衿７の裏側に縫着にて設け、裏地８の右側に内ポケットを左側にファスナー付内ポケットを設けている。
９は長方形でペンの差し込み口の異なる差込部を並設置したペン差しポケットであって、前記右前身頃３胸部表面の略上方中央に縫着にて設けている。
１０は長方形でマジックテープにて着脱可能とした上蓋１０ａ付で携帯電話収納用の携帯ポケットであって、ペン差しポケット９下方の右前身頃３胸部表面に縫着にて設けている。【０００９】  １１は略正方形で一側端にファスナー１１ａを設けたトラベルポケットであって、前記左前身頃３胸部表面の略上方中央にファスナー１１ａを中央縦側にし縫着にて設けている。
１２は長方形で長手方向の中央に切込１２ａを設け切込１２ａの両端よりやや内側に糸による円止１２ｂを行なったティッシュ用ポケットであって、前記トラベルポケット１１下方の左前身頃４胸部表面に縫着にて設けている。
１３は右前身頃３及び左前身頃４より丈を短く幅を狭くした前カバーであって、右前身頃３及び左前身頃４を覆うよう中央を開け肩・袖・脇下更に中央を除く胸下の右前身頃３及び左前身頃４に縫着し、中央側の未縫着部にファスナー１４を設け、ポケット１５を該前カバー１３の下端を跨いで表側に設けている。【００１０】  使用に当っては、従来の衣服と同じように着用すれば良い。
着用してファスナー１４を開け右前身頃３及び左前身頃４の覆を一部解除し、必需品としてのペン類はペン差しポケット９に差し込み、携帯電話は上蓋１０ａを開け携帯ポケット１０に入れ再度上蓋１０ａで蓋し、お金や免許証などはトラベルポケット１１に入れファスナー１１ａを閉め、テイッシュペーパーはテイッシュ用ポケット１２に切込１２ａを円止１２ｂの範囲で開けて入れる。
このように必需品を各ポケットに入れ終ると、再度ファスナー１４を閉めて外出するが、前カバー１３にて胸部に設けた各ポケットが隠され胸に何かを入れているのかが全く分からないと共に、見た目には前カバー１３によってすっきりとし感じよく着用することが出来る。
そして必需品を使用する時や使用が終って必需品を各ポケットから取り出す時には前述の手順の逆の要領で行なえば良い。
【産業上の利用可能性】
【００１１】  衣服として着用する各種の上着類に利用することが出来る。
【図面の簡単な説明】
【００１２】
【図１】本考案実施例の一部を破断した正面図
【符号の説明】
【００１３】  １    衣服
２    衣服本体
３    右前身頃
４    左前身頃
５    後身頃
６    袖
７    衿
８    裏地
９    ペン差しポケット
１０    携帯電話用ポケット
１０ａ  蓋
１１    トラペルポケット
１１ａ  ファスナー
１２    テイッシュ用ポケット
１２ａ  切込
１３    前カバー
１４    ファスナー
【図１】
0003103855.tif 000003